(57)【要約】      （修正有）【課題】腕金に取り付けられるピン碍子おいて、周囲が雪で覆われる雪玉状態の形成を極力抑え、雪によってピン碍子で保持される電線と腕金との間で通電経路が形成されることを回避する。【解決手段】ピン２と、このピン２の軸方向の一方の端部に設けられた本体部３とを有して構成されるピン碍子において、本体部３を、頭部６と、スカート部７と、頭部６からスカート部７に移行する箇所に設けられた電線保持用の窪み部９とを有して構成し、頭部６をスカート部７よりも径方向外側へ拡幅し（Ｒ１＞Ｒ２）、窪み部９に保持される電線８に雪が付着することを抑える。スカート部７の窪み部８からの拡幅代を電線の径ｒの２倍以上として頭部６とスカート部７との間の空間を大きく確保し、また頭部６の周縁を、少なくとも電線８の両側部分において垂れ下げ、その垂れ下がり部分の下端を窪み部に保持される電線の下端よりも下側に位置させてもよい。【選択図】図１
2012248287.tif 000002
【特許請求の範囲】
【請求項１】
導電性支持物に電線を支持するためのピン碍子であって、
ピンと、このピンの軸方向の一方の端部に設けられた碍子本体とを有し、
前記碍子本体は、頭部と、この頭部よりも前記導電性支持物側に設けられたスカート部と、前記頭部から前記スカート部に移行する箇所に設けられた電線保持用の窪み部とを備え、前記頭部を前記スカート部よりも径方向外側へ拡幅したことを特徴とするピン碍子。
【請求項２】
前記スカート部は、前記窪み部からの拡幅代が前記電線の径の２倍以上であることを特徴とする請求項１記載のピン碍子。
【請求項３】
前記頭部の周縁は、少なくとも前記電線の両側部分で垂れ下がり、その垂れ下がり部分の下端は、前記窪み部に保持される電線の下端よりも下側に位置していることを特徴とする請求項１又は２記載のピン碍子。
【請求項４】
前記スカート部の下端部、又は、前記スカート部の下方に、前記スカート部よりも径方向外側へ拡幅する唾部が設けられていることを特徴とする請求項１乃至３のいずれかに記載のピン碍子。
【発明の詳細な説明】
【技術分野】
【０００１】
本発明は、腕金などの導電性支持物に電線を支持するピン碍子に関し、特に、ピン碍子が設けられた部分での積雪に起因する配電線事故を低減するために有用なピン碍子に関する。
【背景技術】
【０００２】
電柱の上に張り巡らされている電線は、電柱に固定された腕金に取り付けられたピン碍子によって支持されている。このようなピン碍子は、図９に示されるように、下端部がボルト状に形成されたピン２とこのピン２の軸方向の一端部に設けられた碍子本体３とを備え、ピン碍子１のピン２を電柱の腕金４に形成された通孔４ａに差し込み、腕金４の下側においてナット５をピン２に螺合させて碍子本体３を腕金４に固定するようにしている。そして、碍子本体３の上部に設けられた電線保持用の窪み部９に電線８を水平に沿わせ、絶縁体が被覆されている被覆巻付バインド２０を電線８と窪み部９とに巻き付けることで、電線８をピン碍子１に堅固に支持するようにしている。
【０００３】
また、降雪地帯で用いられる耐塩用のピン碍子としては、下記する特許文献１，２に示されるように、多重の深ヒダを有する外笠の下方に上部が開放された耐塩皿を設けて耐塩皿内への着雪を防止すると共に、外笠の下端を耐塩皿の外側に張り出して、外笠下端部の内面と耐塩皿の外面との間に所定の隙間を確保するようにした構成も開示されている。
【先行技術文献】
【特許文献】
【０００４】
【特許文献１】特許第４２３３００１号公報
【特許文献２】実公平７−２４７４１号公報
【発明の概要】
【発明が解決しようとする課題】
【０００５】
しかしながら、特に重雪害地区においては、腕金やピン碍子に積雪すると、図９（ｂ）の一点鎖線で示されるように、ピン碍子の周囲を腕金と共に雪が包み込む、いわゆる雪玉状態３０が形成されるため、この堆積した雪によって電線と腕金との間で通電経路が形成され、配電線事故を誘発する恐れがある。
また、耐雪対策が施されている上述したピン碍子においても、電線保持用の窪み部が外笠の外周面に形成されているので、碍子の窪み部に取り付けられる電線には雪が接触しやすい状態であり、碍子周囲に雪が堆積すると、電線と腕金との間で同様に通電経路が形成されて配電線事故を誘発する恐れがある。
【０００６】
本発明は、かかる事情に鑑みてなされたものであり、腕金等の導電性支持物に電線を支持するためのピン碍子であって、碍子が設けられた部分で雪玉状態が形成されることを極力抑え、また、碍子の周囲に雪が堆積した場合であっても、電線と導電性支持物との間で通電経路が形成されることを回避することが可能なピン碍子を提供することを主たる課題としている。
【課題を解決するための手段】
【０００７】
上記課題を達成するために、本発明に係るピン碍子は、導電性支持物に電線を支持するためのものであって、ピンと、このピンの軸方向の一方の端部に設けられた碍子本体とを有し、前記碍子本体は、頭部と、この頭部よりも前記導電性支持物側に設けられたスカート部と、前記頭部から前記スカート部に移行する箇所に設けられた電線保持用の窪み部とを備え、前記頭部を前記スカート部よりも径方向外側へ拡幅したことを特徴としている。
【０００８】
したがって、碍子本体の頭部がスカート部よりも径方向外側へ張り出した構成となっているので、上方から降ってくる雪を頭部で受けることにより、この頭部からスカート部に移行する窪み部に積雪されにくくなり、頭部とスカート部との間に雪が積もらない空間を形成して頭部の下側で電線が雪と接触する状態を形成しにくくすることが可能となる。また、頭部がスカート部よりも径方向に大きく形成されているので、頭部の下方、引いてはスカート部の下方に雪が積もりにくくすることが可能となり、雪玉状態の形成を極力抑えることが可能となる。
【０００９】
ここで、前記スカート部は、前記窪み部からの拡幅代が前記電線の径の２倍以上であることが好ましい。
従来のピン碍子にあっては、図９に示されるように、頭部６の径方向の張り出しが小さく、また、スカート部７の径方向の張り出しも十分に大きくないため、上方から降る雪のみならず、側方や下方から吹き上げられる雪が電線８に付着しやすいものであったが、頭部がスカート部よりも径方向外側に張り出すと共に、スカート部７が窪み部９から電線径の２倍以上に張り出している状態においては、頭部６とスカート部７との間の空間を径方向に長く確保でき、上方から降る雪はもとより、側方や下方から吹き上げられる雪も電線８に付着しにくくなる。
【００１０】
また、前記頭部の周縁は、少なくとも前記電線の両側部分で垂れ下がり、その垂れ下がった部分の下端は、前記窪み部に保持される電線の下端よりも下側に位置させるようにしてもよい。
ここで、このような頭部形状としては、円盤状の頭部周縁から電線の両側において側壁を垂下させるものであっても、電線を跨ぐようにアーチ状に形成されるものであっても、頭部周縁が全周に亘って垂れ下がり、電線と干渉する部分に切り欠きを形成するものであってもよい。
【００１１】
このような構成においては、少なくとも電線の両側で頭部の周縁が電線の下端よりも下がっているので、頭部とスカート部との間に側方から入り込もうとする雪を防ぐことが可能となり、上述した構成と相俟って頭部の下方で電線が雪と接触することをより確実に防ぐことが可能となる。
【００１２】
尚、以上の構成に加えて、前記スカート部の下端部、又は、前記スカート部の下方に、スカート部よりも径方向外側へ拡幅する唾部をさらに設けようにしてもよい。このような構成を付加することにより、唾部の下方の空間に雪が溜まりにくくなり、また、頭部と唾部との間に大きな空間を確保することが可能となる。このため、雪玉状態の形成を抑えやすくなると共に、唾部によって下方から舞い上がる雪が窪み部に浸入しにくくなるため、碍子周囲に積雪した場合でも、電線が雪に接触しにくい状態となる。
【発明の効果】
【００１３】
以上述べたように、本発明に係るピン碍子によれば、頭部がスカート部よりも径方向外側に拡幅されているので、頭部の下方で雪が溜まることを抑え、引いては碍子が設けられた部分で雪玉状態が形成されることを極力抑えることが可能となる。また、ピン碍子の周囲に積雪した場合であっても、頭部とスカート部との間に空間が確保されてこの部分への雪の浸入が低減されるので、窪み部に配設される電線が雪と接触することを低減することが可能となる。このため、雪によって電線と導電性支持物（腕金）との間で通電経路が形成されることを回避することが可能となり、積雪に起因する配電線事故を低減することが可能となる。
【００１４】
また、スカート部を、窪み部からの拡幅代が電線の径の２倍以上となるように拡幅することで、頭部とスカート部との間の空間を径方向に長く形成することが可能となり、電線への雪の付着を一層抑えることが可能となる。
【００１５】
さらに、頭部の周縁を、少なくとも電線の両側部分で垂れ下げ、その垂れ下がった部分の下端を、窪み部に保持される電線の下端よりも下側に位置させるようにすることで、側方から窪み部に入り込もうとする雪をより確実に防ぐことが可能となる。
【００１６】
さらにまた、スカート部の下端部、又は、スカート部の下方に、スカート部よりも径方向外側へ拡幅する唾部をさらに設けることで、唾部の下方の空間に雪が溜まりにくくなり、また、頭部と唾部との間に大きな空間を確保することが可能となるので、雪玉状態の形成をより抑えることが可能となり、また、碍子周囲に積雪した場合であっても、電線が雪に接触しにくい状態をより確実に形成することが可能となる。
【図面の簡単な説明】
【００１７】
【図１】図１は、本発明のピン碍子の第１の実施例を示す図であり、（ａ）は腕金の側方（電線の軸方向）から見たピン碍子の取り付け状態を示す一部切欠きの図、（ｂ）は、腕金の正面（電線に対して垂直となる水平方向）から見たピン碍子の腕金への取り付け状態を示す図である。
【図２】図２は、第１の実施例にかかるピン碍子を腕金に取り付けた状態を示す斜視図である。
【図３】図３は、本発明のピン碍子の第２の実施例を示す図であり、（ａ）は腕金の側方（電線の軸方向）から見たピン碍子の取り付け状態を示す一部切欠きの図、（ｂ）は、腕金の正面（電線に対して垂直となる水平方向）から見たピン碍子の腕金への取り付け状態を示す図である。
【図４】図４は、第２の実施例にかかるピン碍子を腕金に取り付けた状態を示す斜視図である。
【図５】図５は、本発明のピン碍子の第３の実施例を示す図であり、（ａ）は腕金の側方（電線の軸方向）から見たピン碍子の取り付け状態を示す一部切欠きの図、（ｂ）は、腕金の正面（電線に対して垂直となる水平方向）から見たピン碍子の腕金への取り付け状態を示す図である。
【図６】図６は、第３の実施例にかかるピン碍子を腕金に取り付けた状態を示す斜視図である。
【図７】図７は、本発明のピン碍子の第４の実施例を示す図であり、（ａ）は腕金の側方（電線の軸方向）から見たピン碍子の取り付け状態を示す一部切欠きの図、（ｂ）は、腕金の正面（電線に対して垂直となる水平方向）から見たピン碍子の腕金への取り付け状態を示す図である。
【図８】図８は、第４の実施例にかかるピン碍子を腕金に取り付けた状態を示す斜視図である。
【図９】図９は、従来のピン碍子を示す図であり、（ａ）は腕金の側方（電線の軸方向）から見たピン碍子の取り付け状態を示す一部切欠きの図、（ｂ）は、（ａ）で示すピン碍子を腕金に取り付けた状態を示す斜視図である。
【発明を実施するための形態】
【００１８】
以下、本発明のピン碍子の実施形態について、添付図面を参照しながら説明する。
【実施例１】
【００１９】
図１及び図２において、ピン碍子の第１の実施形態が示され、このピン碍子１は、ピン２と、このピン２の軸方向の一端に固定された碍子本体３とにより構成されている。
【００２０】
ピン２は、碍子本体３から下方に延設され、その下端部は、電柱に固定された導電性支持物としての腕金４に碍子本体３を固定するためにナット５を螺合可能なボルト状に形成されている。
【００２１】
碍子本体３は、磁器やポリマー等の絶縁体で構成されているもので、頭部６と、この頭部６よりも腕金側に設けられたスカート部７と、頭部６からスカート部７に移行する箇所に設けられた電線８を保持するための窪み部９と、スカート部７の下方に設けられたベース１０とを有して構成されている。
【００２２】
スカート部７は、多重の円環状に且つ同心状に形成された複数の深ヒダ７ａが下方に向けて一体形成された円柱形状に形成され、腕金４の巾よりも大きな径に形成されている。また、ベース１０は、スカート部７の中央下部を下方へ延設して設けられ、ピン２はこのベース１０の下端中央に挿着されて強固に固定されている。
【００２３】
頭部６は、スカート部７（ピン碍子の中心軸からの径：Ｒ２）よりも径方向外側へ拡幅した形状（ピン碍子の中心軸からの径：Ｒ１）をなし（Ｒ１＞Ｒ２）、この例では、円盤状に形成されて上面が平坦に形成されている。また、ベース１０は、図９で示す従前のピン碍子と同様であるが、スカート部７は、従前のピン碍子のスカート部（ピン碍子の中心軸からの径：Ｒ３）よりも径方向に大きく形成されている。より具体的には、スカート部７の窪み部９からの拡幅代（Ｌ）が、窪み部９に取り付けられる電線８の径（ｒ）の２倍以上となるように従来よりも大きく形成されている。
【００２４】
以上の構成において、ピン碍子１のピン２を電柱の腕金４に形成された通孔４ａに差し込み、腕金４の下側においてナット５をピン２に螺合させることで、碍子本体３を腕金４に固定すると、スカート部７が腕金４の両側に張り出し、また、頭部６がスカート部７よりもさらに径方向外側に張り出した状態となる。このため、腕金４の軸方向においてピン２の前後には、スカート部７と腕金４との間に大きな空間を確保でき、また、頭部６がスカート部７よりもさらに径方向外側に拡幅されているので、頭部６と腕金４との間の隙間も大きく確保することが可能となり、ピン碍子１の周囲を腕金４と共に雪が覆う雪玉状態の形成を極力回避することが可能となる。
【００２５】
また、ピン碍子の周囲に積雪した場合であっても、頭部６がスカート部７よりも張り出しているので、腕金４の軸方向にピン碍子１の頭部６を跨いで形成されるだけで、腕金４の巾方向にはピン碍子１の頭部６を跨いで雪が堆積することはないので、頭部６の下方において雪と接触することなく電線８を通過させることができる空間を確保することが可能となる。
このため、窪み部９に配設される電線８に雪が付着することを低減することが可能となり、電線８と腕金４との間で雪によって通電経路が形成される可能性を抑え、配電線事故を誘発することを回避することが可能となる。
【実施例２】
【００２６】
図３及び図４において、前記実施例を改良した構成が示されている。
この実施例においては、ピン碍子１の頭部６が、前記実施例と相違しており、頭部６の周縁が少なくとも電線８の両側部分で垂れ下がり、その垂れ下がった部分の下端（Ａ）が、窪み部９に保持される電線８の下端（Ｂ）よりも下側まで延設されている。
この例では、円盤状の頭部６の対向する２箇所の周縁から電線８の両側に垂下する側壁６ａを頭部周縁に沿って所定の角度範囲（例えば、１２０度）に亘って形成することで形成している。
尚、他の構成は、前記構成例と同様であるので、同一箇所に同一符号を付して説明を省略する。
【００２７】
したがって、このような構成においては、実施例１と同様の作用効果が得られることに加えて、電線８の両側部分において頭部６の周縁が電線８の下端よりも下方に垂れ下がっているので、側方から窪み部９に浸入しようとする雪を遮断することが可能となり、雪の電線８への付着をより低減することが可能となる。このため、雪によって電線８と腕金４との間で通電経路が形成されることをより確実に回避することが可能となる。
【実施例３】
【００２８】
図５及び図６において、ピン碍子１の頭部６の形状を異ならせた他の実施形態が示されている。
この例において、頭部６は、スカート部７を覆い、電線８の両側で垂れ下がるようにアーチ状に形成されているもので、周縁はスカート部７よりも径方向外側まで延設され、且つ、垂れ下がっている周縁端部（Ａ）は電線８の下端（Ｂ）よりも下方まで下がっている。また、電線８の軸方向に沿った寸法は、スカート部７の径よりも大きく形成されている。
尚、他の構成は、前記構成例と同様であるので、同一箇所に同一符号を付して説明を省略する。
【００２９】
このような構成においても、実施例１と同様の作用効果が得られると共に、頭部が電線の両側で電線の下端よりも下側まで垂れ下がっているので、側方から浸入しようとする雪を遮断することが可能となり、電線と腕金との間で通電経路が形成されることをより確実に回避することが可能となる。
【実施例４】
【００３０】
図７及び図８において、本発明のピン碍子１の頭部形状を異ならせたさらに他の実施形態が示されている。
この例では、頭部６の周縁が全周に亘って垂れ下がるドーム状（碗状）に形成されているもので、電線８と干渉する部分に切欠き６ｂが設けられ、これにより、電線８の両側が垂れ下がり、その垂れ下がった部分の下端Ａを、窪み部９に保持される電線８の下端よりも下側に位置させるようにしている。
尚、他の構成は、前記構成例と同様であるので、同一箇所に同一符号を付して説明を省略する。
【００３１】
このような構成においても、実施例１と同様の作用効果が得られることに加えて、側方から浸入しようとする雪を遮断することが可能となり、電線と腕金との間で通電経路が形成されることをより確実に回避することが可能となる。
【００３２】
尚、以上述べた各構成において、スカート部７の下端部、又は、スカート部７の下方に、径方向外側へ拡幅する唾部１５が設けようにしてもよい。
例えば、図１、図３、図５の一点鎖線で示すように、スカート部７の下端部、又は、スカート部７の下方に、スカート部７と一体をなす、又は、スカート部７に組み付け可能な別体をなす唾部１５を設け、唾部１５の下方（スカート部７の下方）に雪が溜まりにくい空間を形成すると共に、頭部６と唾部１５との間に大きな空間を確保するようにしてもよい。このような構成を付加することにより、雪玉状態の形成を抑えやすくなると共に、唾部によって下方から舞い上がる雪が窪み部９に浸入しにくくなるため、碍子周囲に積雪した場合でも、頭部６の下方で電線８が雪と接触しにくい状態を形成しやすいものとなる（頭部６と唾部１５との間に電線が雪に接触しない空間を大きく確保できる）。
【符号の説明】
【００３３】
１  ピン碍子
２  ピン
３  碍子本体
４  腕金
６  頭部
７  スカート部
８  電線
９  窪み部
１５  唾部
【図１】
2012248287.tif 000003
【図２】
2012248287.tif 000004
【図３】
2012248287.tif 000005
【図４】
2012248287.tif 000006
【図５】
2012248287.tif 000007
【図６】
2012248287.tif 000008
【図７】
2012248287.tif 000009
【図８】
2012248287.tif 000010
【図９】
2012248287.tif 000011